(57)【特許請求の範囲】
【請求項１】
帯状で両端を自由端としリング状に湾曲されたバンド本体と、帯状であって略円弧状に湾曲し前記バンド本体の一端から所定距離隔てた位置に一端が固着される帯板とを備え、前記バンド本体の一端に前記帯板の外周面に重合する重合部を設け、この重合部を前記帯板に対して所定の弾性力でもって当接するようにし、前記バンド本体の他端に係合部を設けるとともに、前記重合部に前記係合部と係合する係合穴を設け、前記係合部と前記係合穴とが係合した状態で前記バンド本体の他端を前記重合部の内周と前記帯板の外周とで挟持するように構成し、前記係合部と前記重合部との係合開始付近に前記バンド本体の他端の移動を案内保持する案内部を前記帯板に設けたバンド式締結部材において、前記バンド本体に所定の弾性力をもって外方に向かって湾曲した公差吸収部を設け、締付けが完了した状態で前記公差吸収部全体を両側側方から挟みこむ位置に位置する保護カバーを前記帯体の外周面にほぼ直角に屈曲して形成したことを特徴とするバンド式締結部材。
【発明の詳細な説明】
【０００１】
【発明の属する技術分野】
本発明は、被締結部の外周に装着して、被締結部を締付けるバンド式締結部材に関するものである。
【０００２】
【従来の技術】
従来、被締結部の外周に挿着して、被締結部を締付けるバンド式締結部材には、例えば、特公平１−２２４８１号公報に示すものがある。
このものは、図１２に示すように一枚の金属板を加工して帯状に形成され、略リング状に湾曲されたバンド本体１と、補助帯板２とから構成されている。
【０００３】
前記バンド本体１の一端には係合凸部３が形成され、一方、他端には係合凸部３に係合する係合穴４が形成されており、これら係合凸部３と係合穴４とが係合されることによって、バンド本体１は無端状に構成される。
また、バンド本体１には、かしめ部５が形成されており、このかしめ部５を図略のかしめ工具でかしめることにより、図略の被締結部に対して締付力を付与するようになっている。
【０００４】
前記補助帯板２はかしめ部５をかしめる際にかしめ部５に対応するバンド本体１の内周に挿入することによって、かしめ部５の内周への被締結部の噛み込みを防止するものである。
【０００５】
【発明が解決しようとする課題】
従来では、バンド本体１の係合凸部３と係合穴４とを係合させるためには、係合凸部３の上から係合穴４を嵌め込むようにしなければならないため、両手を使う必要があり、作業性が悪いという問題があった。
また、係合凸部３に対して係合穴４を嵌め込んだだけでは、その状態を維持しようとする力が作用しないため、手を離すと外れてしまう恐れがある。
【０００６】
従って、かしめ部５をかしめる時においても、係合凸部３と係合穴４との係合状態を支える必要があり、両手を使わなければならず、作業性が悪いという問題があった。
【０００７】
【課題を解決するための手段】
本発明のバンド式締結部材は、上述した問題を解決するためになされたもので、請求項１に記載の発明では、帯状で両端を自由端としリング状に湾曲されたバンド本体と、帯状であって略円弧状に湾曲し前記バンド本体の一端から所定距離隔てた位置に一端が固着される帯板とを備え、前記バンド本体の一端に前記帯板の外周面に重合する重合部を設け、この重合部を前記帯板に対して所定の弾性力でもって当接するようにし、前記バンド本体の他端に係合部を設けるとともに、前記重合部に前記係合部と係合する係合穴を設け、前記係合部と前記係合穴とが係合した状態で前記バンド本体の他端を前記重合部の内周と前記帯板の外周とで挟持するように構成し、前記係合部と前記重合部との係合開始付近に前記バンド本体の他端の移動を案内保持する案内部を前記帯板に設けたバンド式締結部材において、前記バンド本体に所定の弾性力をもって外方に向かって湾曲した公差吸収部を設け、締付けが完了した状態で前記公差吸収部全体を両側側方から挟みこむ位置に位置する保護カバーを前記帯体の外周面にほぼ直角に屈曲して形成したことを特徴とするものである。
これによれば、締付作業性が向上することはもちろんのこと、被締結部材に対する締付が完了した状態で、保護カバーが公差吸収部を保護する位置に位置されるので、公差吸収部を飛び石などの外部変形要因から保護することができる。また、締付前の状態において、バンド本体の形状を安定させ、案内部にバンド本体の他端が案内されるまでの補助的な案内を行うため、さらに作業性が良い。
【００１２】
【発明の実施の形態】
以下、本発明の実施の形態について図１乃至図１１に基づいて説明する。
本実施例のバンド式締結部材は、例えば、ラックアンドピニオン型パワーステアリング装置において筒状のブーツＢをギヤハウジングに取付けるためのものである。この締結部材は、図１，図２に示すように、帯状で両端を自由端としたバンド本体１０と、帯状であって略円弧状に湾曲し前記バンド本体１０の取付係合部１６に一端に設けられた取付部２１にて固着される帯板２０とから構成されている。
【００１３】
前記バンド本体１０は、図５，図６に示すように、一枚の金属板を加工して帯状に形成されており、略リング状に湾曲されている。
このバンド本体１０の一端には、外方に向けて所定角度屈曲されバンド締付け時にバンド本体１０の他端と係合する係合屈曲部１１が形成されている。
この係合屈曲部１１から所定距離隔てた位置に周方向に伸びバンド本体１０の表裏に貫通する長方形状の係合穴１２が形成され、この係合穴１２からさらに所定距離隔てた位置に内方に向けて湾曲する湾曲部１３が形成されている。
【００１４】
ここで、前記係合穴１２と係合屈曲部１１とが形成された部分は前記帯板２０と重合する重合部１４を構成しており、この重合部１４の内周面は前記帯板２０が前記バンド本体１０に固着された状態で、前記湾曲部１３によって所定の弾性力でもって前記帯板２０の外周面に押接されるようになっている。
また、前記湾曲部１３から所定距離隔てた位置には内方に向けて屈曲する段部１５ａが形成されており、この段部１５ａと前記湾曲部１３との間には両側方から凹状に形成された前記取付係合部１６が形成されている。
【００１５】
前記段部１５ａの形成により、前記バンド本体１０に前記帯板２０が固着された状態では、前記バンド本体１０の内周と前記帯板２０の内周とは滑らかに連続した内周面となる。
一方、前記バンド本体１０の他端から所定距離隔てた位置には前記係合穴１２に係合する係合部１７が形成されている。
【００１６】
この係合部１７から所定距離隔てた位置に、バンド式締結部材をペンチまたはプライヤ等の締付工具Ｔによって締付ける際に締付工具Ｔの一方の先端を係止する係止部１８が形成されている。（図９乃至図１１参照）
さらに、この係止部１８から所定距離隔てた位置には、外方に向かってＣ状に湾曲する公差吸収部１９が形成されている。この公差吸収部１９によって、ブーツＢの外周に対してバンド式締付部材における締付力（弾性力）を付与しているとともに、ブーツＢの膨張収縮に対応し得るようになっている。
【００１７】
前記係合部１７には、前記重合部１４の係合屈曲部１１と係合して前記重合部１４を外方に押し拡げながら前進する係合テーパ部１７ａと、バンド締付けが完了した状態で公差吸収部１９の作用によってバンド式締結部材が拡げられた時に前記係合穴１２に引っ掛かる係合突起部１７ｂとが形成されている。
ここで、前記係合部１７と前記係止部１８はほぼ同一形状であって、各々はバンド本体１０に互い違いとなる方向から形成されている。
【００１８】
これら前記係合部１７と前記係止部１８は、図６の点線に示す形状に左右逆方向から加工された後に、各々側方からバンド本体１０の外周面に対して直角に屈曲されることによって、バンド本体１０の幅方向のほぼ中央に外周方向に伸びて設けられる。
このように前記係合部１７と前記係止部１８とが各々左右逆方向から屈曲されるため、屈曲時にバンド本体１０に加わる屈曲荷重がほぼ左右均等となり、屈曲によるバンド本体１の変形を小さく抑えることができる。
【００１９】
前記公差吸収部１９からさらに所定距離隔てた位置には、段部１５ｂが形成されており、この段部１５ｂによってブーツＢの外周面との間に形成された隙間に前記帯板２０の他端が挿入されるようになっている。
前記帯板２０の一端には、図７及び図８に示すように、前記バンド本体１０に設けられた前記取付係合部１６に固着される前記取付部２１が設けられている。この取付部２１はバンド本体１０に対する取付け前の状態においては、図８の点線に示すように側方に突出した形状であり、この状態で、取付部２１は帯板２０と同一幅の所で屈曲されるとともに、帯板２０の中央付近で両取付部２１を帯板２０の外周面に対して直角に屈曲されてかしめ重合されることによって、図３に示すように、バンド本体１０に対して固着される。
【００２０】
ここで、重合された取付部２１は前記バンド本体１０に設けられた前記係止部１８と対となる他方の係止部２２を構成している。
この係止部２２から所定距離隔てた位置には、締付部材の締付け時に、前記バンド本体１０の他端が前記重合部１４と係合した際に、重合部１４における弾性力によってバンド本体１０の他端が帯板２０の外周面上から逸脱しないように、バンド本体１０の他端を案内保持する一対の案内部２３が形成されている。
【００２１】
この案内部２３は、図８の点線に示すように帯板２０の両側方に突出した状態から帯板２０の幅と一致する位置で実線で示すように帯板２０の外周面に対して直角に屈曲されて設けられる。
前記案内部２３からさらに所定距離隔てた位置には、バンド締付けが完了した状態で前記公差吸収部１９の全体を側方から挟むように位置され、前記公差吸収部１９を飛び石等の外部変形要因が当たって弾性力が低下する等の悪影響が起こり得ないように、公差吸収部１９を保護する一対の保護カバー２４が設けられている。
【００２２】
この保護カバー２４は、前記案内部２３と同様に、図８の点線に示すように帯板２０の側方に突出した状態から帯板２０の幅と一致する位置で実線に示すように帯板２０の外周面に対して直角に屈曲されて設けられる。
また、この保護カバー２４は図３，図４に示すように、バンド締付け前の状態において、前記バンド本体１０の他端を前記帯板２０上に保持している。これにより、前記バンド本体１０の他端を前記案内部２３までスムーズにかつ確実に案内移動させることができる。
【００２３】
次に上述した構成における本発明の実施の形態を示すバンド式締結部材の締付け動作を説明する。
バンド締付前の状態では、図３に示すように、前記バンド本体１０の他端は前記帯板２０の外周面上に接触しており、一対の保護カバー２４によって紙面に垂直な方向（バンド本体１０の幅方向）を支持されており、バンド式締結部材は被締結部材であるブーツＢの外径より大きい径の略リング状となっている。ここで、このバンド式締結部材はブーツＢを挿入しない状態でバンド締付が完了した状態での内周径は、ブーツＢの外径より小さく設定されている。
【００２４】
この状態で、ブーツＢの外周に締結部材を挿入する。
次に、締付工具Ｔによって、一対の係止部１８，２２を把持して、これら一対の係止部１８，２２が近づく方向に締付けを開始する。
そして、徐々に締付けられていくことによって、バンド本体１０の他端は、図９に示すように、一対の保護カバー２４に側方を案内されつつ帯板２０の外周面上を滑って案内部１１方向に移動される。
【００２５】
さらに、締付けられると、バンド本体１０の他端が案内部１１に側方を案内される位置まで移動される。そして、側方を案内部１１に案内されつつ、係合部１７の係合テーパ部１７ａが係合屈曲部１１の内周に係合して、両テーパ作用によって、図１０に示すように、係合屈曲部１１（重合部１４）が湾曲部１３による弾性作用に抗して外方に押し上げられる。
【００２６】
ここで、帯板２０の他端はブーツＢの外周に摺接しながら移動し、徐々に公差吸収部１９の内周と、ブーツＢの外周との間を遮断する。これによって、公差吸収部１９の内周にブーツＢの外周が変形によって入り込むことを防止する。
さらに、締付けられると、図１１に示すように、前記湾曲部１３の弾性復帰力によって係合部１７は係合穴１２内に嵌まり込む。これは、前記湾曲部１３の弾性力（スプリングバック）が作用するためである。これによってバンド本体１０の他端は、重合部１４の内周面と帯板２０の外周面とによって弾性挟持される。
【００２７】
一方、Ｃ状に湾曲した公差吸収部１９が拡げられることによって、ブーツＢの外周面に締付力が作用する。ここで、ブーツＢに公差のバラツキがあったとしてもこの公差吸収部１９によって吸収される。また、ブーツＢの膨張収縮に対しても、つまり、挿着後のブーツ径の経時変化に対してもこの公差吸収部１９おいて追従できる。
【００２８】
この状態で、締付工具Ｔによる締付けを解除すると、締結部材による締付力に対してブーツＢの外周において作用する反作用によって、締結部材が拡げられる。これによって、図１及び図２に示すように係合穴１２には係合部１７の係合突起部１７ｂが引っ掛かり締付部材の拡がりが係止され、バンド締付が完了される。
【００２９】
このバンド締付完了時には、保護カバー２４は公差吸収部１９を両側から挟み込む位置に位置され、飛び石等の外部変形要因から公差吸収部１９を保護している。
また、前記公差吸収部１９から所定距離隔てた位置に形成された段部１５ｂが形成されていることによって、この段部１５ｂによって形成されたブーツＢの外周とバンド本体１０の内周との隙間に帯板２０が挿入され、バンド本体１０の内周及び帯板２０の内周とは滑らかに連続した内周面となる。
【００３０】
以上のように、締付工具Ｔによるワンタッチクランプによって、片手で簡単にかつ確実にブーツＢの締付を完了することができる。
【００３１】
【発明の効果】
以上述べたように本発明の請求項１にかかる発明においては、締付けが完了した状態で前記公差吸収部全体を両側側方から挟みこむ位置に位置する保護カバーを前記帯体の外周面にほぼ直角に屈曲して形成したので、公差吸収部を飛び石等から保護することができ、外部要因によって公差吸収部の弾性力が変化することを防止できる。また、締付前の状態において、バンド本体の形状を安定させるとともに、案内部にバンド本体の他端が案内されるまでの補助的な案内を行うため、さらに作業性を向上させることができる。
【図面の簡単な説明】
【図１】本発明の実施の形態におけるバンド式締結部材の締結後の側面図である。
【図２】本発明の実施の形態におけるバンド式締結部材の締結後の平面展開図である。
【図３】本発明の実施の形態におけるバンド式締結部材の締結前の側面図である。
【図４】本発明の実施の形態におけるバンド式締結部材の締結前の平面展開図である。
【図５】バンド本体の締結前の側面図である。
【図６】バンド本体の締結前の平面展開図である。
【図７】帯板の締結前の側面図である。
【図８】帯板の締結前の平面展開図である。
【図９】本発明の実施の形態におけるバンド締結部材の締結作動状態である。
【図１０】本発明の実施の形態におけるバンド締結部材の締結作動状態である。
【図１１】本発明の実施の形態におけるバンド締結部材の締結作動状態である。
【図１２】従来の締結部材の締結前における全体図である。
【符号の説明】
Ｂ  ブーツ（被締結部材）
Ｔ  締付工具
１０  バンド本体
１１  案内部
１２  係合穴
１４  重合部
１７  係合部
１９  公差吸収部
２０  帯板
２４  保護カバー
【図１】
0003571118.tif 000002
【図２】
0003571118.tif 000003
【図３】
0003571118.tif 000004
【図４】
0003571118.tif 000005
【図５】
0003571118.tif 000006
【図６】
0003571118.tif 000007
【図７】
0003571118.tif 000008
【図８】
0003571118.tif 000009
【図９】
0003571118.tif 000010
【図１０】
0003571118.tif 000011
【図１１】
0003571118.tif 000012
【図１２】
0003571118.tif 000013